(57)【特許請求の範囲】
【請求項１】
長手方向における一方の開口部と他方の底部とを備える筒状のケース本体部と、該ケース本体部の背面における前記開口部の近傍に一端部が回動可能に支持されて開閉可能とされる二本の支持脚と、を備え、前記背面が下側を向くように前記ケース本体部を傾けた状態で前記二本の支持脚が開かれる自立状態と、前記二本の支持脚が閉じられる収納状態と、の間を遷移可能なゴルフクラブケースであって、
前記ケース本体部における長手方向の中途部には、前記ケース本体部の内部と外部とを連通するとともに開閉機構により開閉可能とされる孔部が長手方向に沿って形成される、ゴルフクラブケース。
【請求項２】
前記ケース本体部の正面における前記開口部の近傍に把持部が形成され、
前記孔部は前記ケース本体部の側面に形成される、請求項１に記載のゴルフクラブケース。
【請求項３】
前記ケース本体部の正面には収納部が設けられ、
前記孔部と前記収納部とは、前記ケース本体部の長手方向において一部又は全部が重複して配置される、請求項２に記載のゴルフクラブケース。
【請求項４】
前記ケース本体部は、正面側に設けられる第一の布体と、背面側に設けられる第二の布体と、を備え、
前記開閉機構として、ファスナーが前記第一の布体と前記第二の布体との接合部に沿って設けられる、請求項１から請求項３の何れか１項に記載のゴルフクラブケース。
【請求項５】
前記孔部は、前記底部からの距離が１５ｃｍ以上３０ｃｍ以下の箇所に下端部が配置される、請求項１から請求項４の何れか１項に記載のゴルフクラブケース。
【請求項６】
前記孔部の長さが２５ｃｍ以上３５ｃｍ以下で形成される、請求項１から請求項５の何れか１項に記載のゴルフクラブケース。
【発明の詳細な説明】
【技術分野】
【０００１】
本発明は、ゴルフクラブケースに関し、詳細には、ゴルフのラウンド中に使用者が持ち運び可能な携帯型のゴルフクラブケースに関する。
【背景技術】
【０００２】
従来、ゴルフのラウンド中にプレイヤーがフェアウェイ等で持ち運び可能なゴルフクラブケースが用いられている。このようなゴルフクラブケースにおいては、ケース本体部を傾けた状態で、二本の支持脚によりケース本体部を支持する技術が採用されている（例えば、特許文献１を参照）。
【先行技術文献】
【特許文献】
【０００３】
【特許文献１】特開２０１９−１７７１５２号公報
【発明の概要】
【発明が解決しようとする課題】
【０００４】
前記特許文献に記載のゴルフクラブケースの場合、複数のゴルフクラブがケース本体部の内部で絡まって、ゴルフクラブが出し入れし難くなることがあった。特に、ケース本体部を傾けた状態で使用する場合は、ケース本体部を鉛直方向に立てた状態で使用する場合と比較してゴルフクラブのグリップ付近の摩擦力が大きくなる。このため、ゴルフクラブのグリップ部分で互いに絡み合い、他のゴルフクラブの出し入れ作業が煩雑になる場合があった。
【０００５】
本発明は以上の如き状況に鑑みてなされたものであり、本発明が解決しようとする課題は、ゴルフクラブのグリップ部分での互いの絡み合いを解消することにより、ケース本体部を傾けた状態で使用する場合でも、他のゴルフクラブの出し入れ作業を円滑に行うことが可能となる、ゴルフクラブケースを提供することである。
【課題を解決するための手段】
【０００６】
以下では、上記課題を解決するための手段を説明する。
【０００７】
本発明に係るゴルフクラブケースは、長手方向における一方の開口部と他方の底部とを備える筒状のケース本体部と、該ケース本体部の背面における前記開口部の近傍に一端部が回動可能に支持されて開閉可能とされる二本の支持脚と、を備え、前記背面が下側を向くように前記ケース本体部を傾けた状態で前記二本の支持脚が開かれる自立状態と、前記二本の支持脚が閉じられる収納状態と、の間を遷移可能なゴルフクラブケースであって、前記ケース本体部における長手方向の中途部には、前記ケース本体部の内部と外部とを連通するとともに開閉機構により開閉可能とされる孔部が長手方向に沿って形成される。
【発明の効果】
【０００８】
本発明に係るゴルフクラブケースによれば、ゴルフクラブのグリップ部分での互いの絡み合いを解消することにより、ケース本体部を傾けた状態で使用する場合でも、他のゴルフクラブの出し入れ作業を円滑に行うことが可能となる、という効果を奏する。
【図面の簡単な説明】
【０００９】
【図１】本実施形態に係るゴルフクラブケースの自立状態を示す斜視図。
【図２】ゴルフクラブケースの収納状態を示す側面図。
【図３】ゴルフクラブケースの収納状態で孔部を開口した際の側面図。
【図４】ゴルフクラブケースの自立状態で孔部を開口した際の側面図。
【図５】ゴルフクラブケースの自立状態における孔部周辺の拡大側面図。
【発明を実施するための形態】
【００１０】
以下では図１から図５を用いて、本発明の一実施形態に係るゴルフクラブケース（以下、単に「クラブケース」と記載する）１について説明する。図１中に示す矢印は、クラブケース１における左右方向を規定している。また、図２中に示す矢印は、クラブケース１における前後方向を規定している。
【００１１】
本実施形態に係るクラブケース１は、ケース本体部２と、ケース本体部２に設けられる二本の支持脚３・３と、を備える。ケース本体部２は、クラブケース１の使用者が図２から図５に示す如く複数本（３本〜７本程度、本実施形態においては５本）のゴルフクラブＣのヘッドの側を外部に延出した状態で、グリップＧ（図５を参照）の側を内部に収容するための部材である。
【００１２】
ケース本体部２は、樹脂製部材と布製部材とを組み合わせて構成される有底筒状の部材である。本実施形態に係るケース本体部２は図１から図４に示す如く、長手方向における一方（上方）の開口部２ａと、他方（下方）の底部２ｂとを備える。本実施形態においては、クラブケース１の前面側をケース本体部２の正面２Ｆとし、クラブケース１の後面側をケース本体部２の背面２Ｒとして説明する。
【００１３】
ケース本体部２の正面２Ｆにおける開口部２ａの近傍には、使用者がクラブケース１を持ち上げる際に手で掴むことのできる把持部２１が形成されている。ケース本体部２の開口部２ａには図示しないベルトが設けられ、クラブケース１の使用者がベルトを肩に掛けてケース本体部２を持ち上げることを可能としている。また、ケース本体部２の正面２Ｆにおける長手方向中途部には、ゴルフボールや手袋等の小物類を収容可能な収納部である収納ポケット２２が設けられている。収納ポケット２２の上部はファスナーにより開閉部２２ａが設けられて開閉可能とされている。
【００１４】
ケース本体部２の開口部２ａは仕切り板２３により仕切られている。また、ケース本体部２は、正面２Ｆの側に設けられる第一の布体である前布２４ａと、背面２Ｒの側に設けられる第二の布体である後布２４ｂと、を備える。本実施形態においては、前布２４ａに収納ポケット２２が設けられる。
【００１５】
ケース本体部２の背面２Ｒにおける開口部２ａの近傍には、二本の支持脚３・３が回動可能に支持されて開閉可能とされる。具体的には、支持脚３・３におけるそれぞれの基端部３ａ・３ａが、開口部２ａの近傍において回動可能に連結されている。支持脚３・３の基端部３ａ・３ａは楕円形状の開口部２ａに沿って回動軸が設けられているため、支持脚３・３が後方に回動した際には支持脚３・３の先端部３ｃ・３ｃが離間し、支持脚３・３が互いに離間した状態に開かれる。
【００１６】
図１及び図４に示す如く、二本の支持脚３・３を開いた際（以下、この状態をクラブケース１の「自立状態」と記載する）は、ケース本体部２（より詳細にはケース本体部２に設けられた押上棒３２・３２）、支持脚３・３により三脚が形成され、傾斜地等の不安定な場所でも安定的にクラブケース１を地面に配置することができる。クラブケース１を自立状態とした際には、図１に示す如く、ケース本体部２は背面２Ｒが下側を向くように傾けられた状態で二本の支持脚３・３が開かれる。
【００１７】
一方、図２及び図３に示す如く、二本の支持脚３・３を閉じた際（以下、この状態をクラブケース１の「収納状態」と記載する）は、ケース本体部２の把持部２１を持ったり、図示しないベルトを肩に掛けたりすることで、クラブケース１が持ち運びやすくなる。このように、クラブケース１は、支持脚３・３が開かれた自立状態と、支持脚３・３が閉じられた収納状態と、の間を遷移可能に構成される。
【００１８】
本実施形態に係るクラブケース１において、ケース本体部２の背面２Ｒには、長手方向に沿って支柱２Ｓが設けられている。また、ケース本体部２の後方には、支柱２Ｓの近傍に弾性を有する二本の押上棒３２・３２がケース本体部２の長手方向に沿って設けられている。そして、支柱２Ｓの下端部には押上棒３２・３２の下部が上下方向に摺動可能に挿通されている。
【００１９】
押上棒３２・３２は支柱２Ｓの下端部から下方に延出され、押上棒３２・３２の下端部には接地部３１が回転可能に組付けられる。押上棒３２・３２の上下方向中途部はホルダ３３が設けられ、このホルダ３３により二本の押上棒３２・３２が近接又は離間する方向の相対変位が規制される。
【００２０】
押上棒３２・３２の上端部には水平方向に屈曲された押上部３２ａ・３２ａが形成されている。押上部３２ａ・３２ａは、支持脚３・３における基端部３ａ・３ａの近傍に形成された動作部３ｂ・３ｂに連結されている。
【００２１】
上記の如く構成されたクラブケース１において支持脚３・３は、ケース本体部２にゴルフクラブＣを複数本収納した状態で地面に載置した際に、自動的に開くように構成されている。具体的には、ケース本体部２とゴルフクラブＣとを地面に向けて降下させた際に、接地部３１が地面に接地しても、ケース本体部２はゴルフクラブＣの重さによってさらに下方に変位する。このため、押上棒３２・３２はケース本体部２に対して相対的に上方に変位し、押上部３２ａ・３２ａを介して支持脚３・３の動作部３ｂ・３ｂを押し上げる。これにより、支持脚３・３は後方に向けて回動して開脚し、クラブケース１は自立状態となる。
【００２２】
自立状態のクラブケース１において使用者が把持部２１又はベルトを使ってケース本体部２を持ち上げた場合、支持脚３・３は自重により下降して閉じられてクラブケース１は図２に示す如く収納状態となる。
【００２３】
本実施形態に係るクラブケース１において、ケース本体部２の右側面における長手方向の中途部には、ケース本体部２の内部と外部とを連通する孔部４１が長手方向に沿って形成される。孔部４１は開閉機構であるファスナー４２により開閉可能とされる。本実施形態において、ファスナー４２は前布２４ａと後布２４ｂとの接合部に沿って設けられる。また、クラブケース１においては図５に示す如く、孔部４１と収納ポケット２２とは、ケース本体部２の長手方向において重複して配置されている。即ち、収納ポケット２２と孔部４１とはケース本体部２における長手方向の同じ部分に形成されている。
【００２４】
上記の如く、本実施形態に係るクラブケース１において、ケース本体部２の右側面には、ケース本体部２の内部と外部とを連通する孔部４１が長手方向に沿って形成されている。これにより、図４及び図５に示す如く、複数のゴルフクラブＣがケース本体部２の内部で絡まった場合に、使用者が孔部４１を介して手を挿入し、ゴルフクラブＣの絡みを解消することができる。
【００２５】
より詳細には図４に示す如く、複数のゴルフクラブＣがケース本体部２の内部で絡まった場合に、後からケース本体部２に挿入しようとするゴルフクラブＣをケース本体部２の底部２ｂまで入れることができず、突出した状態となる場合がある（以下、この突出したゴルフクラブを「突出クラブＣｐ」と記載し、突出クラブＣｐのグリップを「突出グリップＧｐ」と記載する）。
【００２６】
クラブケース１は、図４及び図５に示す如く自立状態とし、ケース本体部２を傾けた状態で使用する場合は、ケース本体部２を図２又は図３に示す如く鉛直方向に立てた状態で使用する場合と比較して、ゴルフクラブＣのグリップＧ付近の摩擦力が大きくなる。このような場合でも、使用者が孔部４１から手を挿入してゴルフクラブＣの絡みを解消することにより、突出クラブＣｐの突出グリップＧｐをケース本体部２の底部２ｂまで挿入することが可能となる。このように、本実施形態に係るクラブケース１によれば、ゴルフクラブＣのグリップＧの部分での互いの絡み合いを解消することができるため、ケース本体部２を傾けた状態で使用する場合でも、他のゴルフクラブＣの出し入れ作業を円滑に行うことが可能となるのである。
【００２７】
上記の如く、ゴルフクラブＣはグリップＧの近傍で摩擦力が大きくなり、互いの絡みが生じやすい。一般的にゴルフクラブＣのグリップＧは２５ｃｍ〜３０ｃｍの長さで形成される場合が多いため、孔部４１の下端部は、底部２ｂ（より詳細には底部２ｂの下端部）からの距離Ｄ（図２を参照）がグリップＧの上部が位置する領域である１５ｃｍ以上３０ｃｍ以下の箇所に配置されることが好ましい。また、使用者が孔部４１に手を挿入した際に手をケース本体部２の長手方向に動かす自由度を確保するために、孔部４１の長さは２５ｃｍ以上３５ｃｍ以下で形成されることが好ましい。
【００２８】
また、本実施形態に係るクラブケース１において、ケース本体部２の正面２Ｆにおける開口部２ａの近傍に把持部２１が形成されている。そして、孔部４１はケース本体部２の右側面に形成されている。これにより、クラブケース１の使用者が左手で把持部２１を持ちながら、自然な姿勢で右手を孔部４１に挿入してゴルフクラブＣの整理をすることができる。即ち、クラブケース１の使用者は、把持部２１を持ち歩きながらでも、ゴルフクラブＣの整理を容易に行うことが可能となる。またこの時、ケース本体部２の内部に落下したボールやティーペグ、グリーンマーカー等の小物類を容易に取り出すこともできる。
【００２９】
また、本実施形態に係るクラブケース１において、ケース本体部２の正面２Ｆには収納ポケット２２が設けられ、孔部４１と収納ポケット２２とは、ケース本体部２の長手方向において重複して配置されている。このように、ケース本体部２の正面２Ｆに収納ポケット２２が設けられている場合に、ケース本体部２を傾けた状態で使用すると、図５に示す如く、収納ポケット２２に収納したゴルフボールや手袋等の小物類の重みでケース本体部２の内部空間が狭くなるため、ゴルフクラブＣのグリップＧ付近でゴルフクラブＣの絡みが発生しやすくなる。このような場面においても、本実施形態に係るクラブケース１によれば、孔部４１を介してゴルフクラブＣのグリップＧの部分での互いの絡み合いを解消することができるため、他のゴルフクラブＣの出し入れ作業を円滑に行うことが可能となる。なお、孔部４１と収納ポケット２２とは、互いの一部または全部が重複していても差し支えない。
【００３０】
また、本実施形態に係るクラブケース１において、ケース本体部２は、正面２Ｆの側に設けられる前布２４ａと、背面２Ｒの側に設けられる後布２４ｂと、を備え、孔部４１の開閉機構であるファスナー４２は、前布２４ａと後布２４ｂとの接合部に沿って設けられる。これにより、ケース本体部２に孔部４１を設けるためにケース本体部２を構成する布体を切り開く必要がなくなるため、孔部４１を形成する際の作業を簡素化することが可能となる。
【符号の説明】
【００３１】
１        クラブケース（ゴルフクラブケース）
２        ケース本体部             ２ａ      開口部             
２ｂ      底部                     ２Ｓ      支柱               
２Ｆ      正面                     ２Ｒ      背面               
３        支持脚                   ３ａ      基端部             
３ｂ      動作部                   ３ｃ      先端部             
２１        把持部                 ２２        収納ポケット（収納部）
２２ａ      開閉部                 ２３        仕切り板           
２４ａ      前布（第一の布体）     ２４ｂ      後布（第二の布体） 
３１        接地部                 ３２        押上棒             
３２ａ      押上部                 ３３        ホルダ             
４１        孔部                   ４２        ファスナー（開閉機構）
Ｃ        ゴルフクラブ             Ｃｐ      突出クラブ  
Ｇ        グリップ                 Ｇｐ      突出グリップ       
【要約】
【課題】ゴルフクラブのグリップ部分での互いの絡み合いを解消することにより、ケース本体部を傾けた状態で使用する場合でも、他のゴルフクラブの出し入れ作業を円滑に行うことが可能となる、ゴルフクラブケースを提供する。
【解決手段】クラブケース１は、長手方向における一方の開口部２ａと他方の底部２ｂとを備える筒状のケース本体部２と、ケース本体部２の背面２Ｒにおける開口部２ａの近傍に一端部が回動可能に支持される二本の支持脚３・３と、を備え、背面２Ｒが下側を向くようにケース本体部２を傾けた状態で二本の支持脚３・３が開かれる自立状態と、二本の支持脚３・３が閉じられる収納状態と、の間を遷移可能とされ、ケース本体部２における長手方向の中途部には、ケース本体部２の内部と外部とを連通するとともにファスナー４２により開閉可能とされる孔部４１が長手方向に沿って形成される。
【選択図】図１【図１】
0006777353.tif 000002
【図２】
0006777353.tif 000003
【図３】
0006777353.tif 000004
【図４】
0006777353.tif 000005
【図５】
0006777353.tif 000006